(57)【特許請求の範囲】
【請求項１】
ネットワークを通じてファイルデータ型音声コンテンツおよびストリーミング型音声コンテンツの提供を受けることが可能であるとともにデータベースを有するコンテンツ管理局と、
このコンテンツ管理局にコンテンツ選択指示信号を送信するとともにコンテンツ管理局からファイルデータ型音声コンテンツおよびストリーミング型音声コンテンツのコンテンツデータを受信する通信衛星と、
この通信衛星にコンテンツ選択指示信号を送信するとともに通信衛星から受信したファイルデータ型音声コンテンツおよびストリーミング型音声コンテンツのコンテンツデータを再生する機能を備えた車両と、
車両ユーザの操作によりファイルデータ型音声コンテンツを収集しデータベースに保存するようコンテンツ管理局に対して指示するとともに、ストリーミング型音声コンテンツの選択およびデータベースの配信コンテンツリストへの保存をコンテンツ管理局に指示するソフトウェアがインストールされた車両ユーザのシステム端末機と
を具備したことを特徴とする音声コンテンツ配信システム。
【請求項２】
コンテンツ管理局は、
車両ユーザの指示によりファイルデータ型音声コンテンツを保存するユーザ別データベース
を具備したことを特徴とする請求項１記載の音声コンテンツ配信システム。
【請求項３】
車両は、
ファイルデータ型音声コンテンツおよびストリーミング型音声コンテンツに関するデジタル信号をこれらの音声コンテンツに変換する再生手段
を具備したことを特徴とする請求項１または２記載の音声コンテンツ配信システム。
【請求項４】
車両は、
ファイルデータ型音声コンテンツを電子的に保存するデータ記憶部
を具備したことを特徴とする請求項１乃至３のいずれか記載の音声コンテンツ配信システム。
【請求項５】
車両は、建設機械車両である
ことを特徴とする請求項１乃至４のいずれか記載の音声コンテンツ配信システム。
【発明の詳細な説明】
【０００１】
【発明の属する技術分野】
本発明は、音声コンテンツを配信する音声コンテンツ配信システムに関する。
【０００２】
【従来の技術】
従来、建設機械車両において音声による情報や音楽（以下、これらを「音声コンテンツ」という）を聴取する手段としては、ラジオ放送受信機やカセットテーププレーヤがある。
【０００３】
【発明が解決しようとする課題】
建設機械車両は、人里離れた未開発地域で作業することが比較的多く、そのような場所ではラジオ放送の受信が困難で音声コンテンツを聴取できない。
【０００４】
建設機械車両は、塵挨の多い環境での作業が多く、カセットテープおよびカセットテーププレーヤにとって好ましくない環境のため、その寿命が乗用車に比べて短いという不都合を建設機械車両の車両ユーザに与えている。
【０００５】
カセットテープはランダムに様々な音楽を楽しむには適していない。また、多数の音楽を聴くためには多数のカセットテープを準備しなければならないという不都合もある。
【０００６】
ラジオ放送が受信できたとしても、それは一般的な音声コンテンツであり、必ずしも各車両ユーザに必要な、あるいは嗜好に即した個別の音声コンテンツは提供されていない。
【０００７】
本発明は、このような点に鑑みなされたもので、ラジオ放送受信機やカセットテーププレーヤが持つ受信の困難性、短かい寿命、選曲の非容易性、ユーザ個別のニーズに対応できないなどの問題点を解決することを目的とするものである。
【０００８】
【課題を解決するための手段】
請求項１に記載された発明は、ネットワークを通じてファイルデータ型音声コンテンツおよびストリーミング型音声コンテンツの提供を受けることが可能であるとともにデータベースを有するコンテンツ管理局と、このコンテンツ管理局にコンテンツ選択指示信号を送信するとともにコンテンツ管理局からファイルデータ型音声コンテンツおよびストリーミング型音声コンテンツのコンテンツデータを受信する通信衛星と、この通信衛星にコンテンツ選択指示信号を送信するとともに通信衛星から受信したファイルデータ型音声コンテンツおよびストリーミング型音声コンテンツのコンテンツデータを再生する機能を備えた車両と、車両ユーザの操作によりファイルデータ型音声コンテンツを収集しデータベースに保存するようコンテンツ管理局に対して指示するとともに、ストリーミング型音声コンテンツの選択およびデータベースの配信コンテンツリストへの保存をコンテンツ管理局に指示するソフトウェアがインストールされた車両ユーザのシステム端末機とを具備した音声コンテンツ配信システムであり、コンテンツ管理局から通信衛星を介して車両にファイルデータ型音声コンテンツおよびストリーミング型音声コンテンツを配信するので、ラジオ放送の受信が困難な場所でも、これらの音声コンテンツを聴取可能になる。さらに、車両ユーザは、各自の嗜好に即したファイルデータ型音声コンテンツを収集しデータベースに保存するようコンテンツ管理局に対して指示したり、自らその音声コンテンツをデータベースに保存したり、リアルタイムで行われるニュースや野球中継などの各自の嗜好に即したストリーミング型音声コンテンツの配信をコンテンツ管理局に指示したりすることにより、各自の嗜好に即した音声コンテンツの聴取が可能になる。
【０００９】
請求項２に記載された発明は、請求項１記載の音声コンテンツ配信システムにおけるコンテンツ管理局が、車両ユーザの指示によりファイルデータ型音声コンテンツを保存するユーザ別データベースを具備した音声コンテンツ配信システムであり、車両内のデータ記憶部の容量には制限があるが、コンテンツ管理局にあるユーザ別データベースの容量は原理的に無制限に近いので、必要に応じてファイルデータ型音声コンテンツをダウンロードし車両内のデータを書き換えることにより、車両内に多くのデータを保存することなく多数の音声コンテンツを聴取できる。
【００１０】
請求項３に記載された発明は、請求項１または２記載の音声コンテンツ配信システムにおける車両が、ファイルデータ型音声コンテンツおよびストリーミング型音声コンテンツに関するデジタル信号をこれらの音声コンテンツに変換する再生手段を具備した音声コンテンツ配信システムであり、ファイルデータ型音声コンテンツおよびストリーミング型音声コンテンツの再生にカセットプレーヤのような機械的接触が必要な手段を用いないので、塵挨に強い装置を構築でき、装置の寿命問題を解決できる。
【００１１】
請求項４に記載された発明は、請求項１乃至３のいずれか記載の音声コンテンツ配信システムにおける車両が、ファイルデータ型音声コンテンツを電子的に保存するデータ記憶部を具備した音声コンテンツ配信システムであり、楽曲等の固定的なファイルデータ型音声コンテンツは、車両内のデータ記憶部に電子的に保存されるので、カセットテープでは困難なランダム再生を可能にする。
【００１２】
請求項５に記載された発明は、請求項１乃至４のいずれか記載の音声コンテンツ配信システムにおける車両を建設機械車両とした音声コンテンツ配信システムであり、人里離れた未開発地域でラジオ放送の受信が困難な場所で作業する建設機械車両においても、通信衛星によりファイルデータ型音声コンテンツおよびストリーミング型音声コンテンツを聴取できる。
【００１３】
【発明の実施の形態】
以下、本発明を図面に示された一実施の形態を参照しながら詳細に説明する。
【００１４】
図１は、音声コンテンツ配信システムの概要を示し、このシステムは、音声コンテンツを収集するコンテンツ管理局11と、このコンテンツ管理局11との間で音声コンテンツを含む情報を送受信する通信衛星12と、この通信衛星12との間で音声コンテンツを含む情報を送受信する車両13とを具備している。
【００１５】
車両13は、油圧ショベル、ブルドーザ、ローダなどの建設機械車両であり、ダンプトラックなどの運搬車両である。
【００１６】
コンテンツ管理局11は、ネットワーク14を通じて、楽曲提供ワールドワイドウェブサーバ15から楽曲の提供を受け、音声ニュース提供ワールドワイドウェブサーバ16から音声ニュースの提供を受け、その他音声情報提供ワールドワイドウェブサーバ17からその他の音声情報の提供を受けることができる。以下、ワールドワイドウェブを「ｗｗｗ」という。
【００１７】
楽曲提供ｗｗｗサーバ15は、楽曲等の固定的なファイルデータ型の音声コンテンツ（以下、これを「ファイルデータ型音声コンテンツ」という）を提供し、音声ニュース提供ｗｗｗサーバ16や、その他音声情報提供ｗｗｗサーバ17は、リアルタイムで行われるニュースや野球中継などの各自の嗜好に即したストリーミングデータ（以下、これをストリーミング型音声コンテンツ」という）を提供する。
【００１８】
ネットワーク14には、車両ユーザのシステム端末機としてのパーソナルコンピュータ（以下、単に「パソコン」という）18が接続されている。また、このパソコン18は、専用回線19によりコンテンツ管理局11と直接接続されている。
【００１９】
パソコン18には、車両ユーザの嗜好に即したファイルデータ型音声コンテンツを収集しデータベースに保存するようコンテンツ管理局11に対して指示し、また、自ら音声コンテンツをデータベースに保存し、また、各自の嗜好に即したストリーミング型音声コンテンツの配信をコンテンツ管理局11に指示するソフトウェア、すなわち、ｗｗｗブラウザまたはコンテンツ指示ソフトがインストールされている。
【００２０】
コンテンツ管理局11は、あらかじめ収集可能な音声コンテンツを調査しメニューに登録しておくサーバとしてのメニューサーバ21と、車両ユーザの指示に従い音声コンテンツを逐次検索し収集するサーバとしてのコンテンツ収集サーバ22と、車両ユーザの指示により音声コンテンツを保存するユーザ別データベース23と、ユーザ別データベース23に保存された音声コンテンツを各車両ユーザに配信するコンテンツ配信サーバ24とを具備する。
【００２１】
また、コンテンツ管理局11は、各々の車両ユーザにとって必要な独自の情報を作成する独自コンテンツ作成部門25を具備し、この独自コンテンツ作成部門25で作成した、例えば、建設機械車両のメンテナンスの案内、新型機械の情報、建設機械車両の使用上のアドバイスなどを、コンテンツ配信サーバ24により配信することができる。
【００２２】
車両13は、再生しようとする音声コンテンツを選択するためのコンテンツ選択手段31と、通信衛星12との間でコンテンツ選択指示信号を送信するとともに音声コンテンツデータを受信する送受信手段32と、受信したファイルデータ型音声コンテンツを電子的に保存するデータ記憶部33と、データ記憶部33に保存されたファイルデータ型音声コンテンツまたは連続受信されたストリーミングデータ型音声コンテンツに関するデジタル信号を音声コンテンツに変換する再生手段34とを具備する。
【００２３】
次に、図２乃至図５に基づき、建設機械車両を操作するオペレータである車両ユーザが関係する主な作業の概略フローチャートを説明する。なお、これらのフローチャートにおいて、丸数字は作業手順を示すステップ番号である。
【００２４】
図２は、車両ユーザによるファイルデータ型音声コンテンツの収集からユーザ別データベース23への保存までの概略フローチャートを示し、車両ユーザは、パソコン18などを用いて、コンテンツ管理局11のホームページをアクセスし（ステップ１）、検索して保存するか直接保存するかを判断し（ステップ２）、検索して保存する場合は、ホームページ上で音声コンテンツ取得のための検索をすると（ステップ３）、検索された項目、内容説明が表示されるので（ステップ４）、特定の項目を選択すると（ステップ５でＹＥＳ）、選択項目の情報は一時保管される（ステップ６）。
【００２５】
検索を終了させるか否かを判断し（ステップ７）、必要があればステップ３〜６を繰返し（ステップ７でＮＯ）、全ての検索が終了したら（ステップ７でＹＥＳ）、ステップ６で一時保管された選択コンテンツを確認するとともに不要なものは削除し（ステップ８）、選択され確認された音声コンテンツのみをユーザ別データベース23に保存する（ステップ９）。
【００２６】
このとき、データそのものをユーザ別データベース23に保存するとともに、表題等をユーザ別データベース23の配信コンテンツリストにも保存する。
【００２７】
ステップ２で、車両ユーザが自ら音声コンテンツをユーザ別データベース23に直接保存する場合は、個人的に所有している保存ファイルの選択および送信を指示し（ステップ10）、受信ファイルを確認し（ステップ11）、この受信ファイルをコンテンツ管理局11のユーザ別データベース23に保存する（ステップ９）。
【００２８】
図３は、車両ユーザによるストリーミングデータ型音声コンテンツの選択からユーザ別データベース23への配信コンテンツリスト保存までの概略フローチャートを示し、車両ユーザは、パソコン18などを用いて、コンテンツ管理局11のホームページをアクセスし（ステップ12）、ホームページ上でコンテンツ取得のための検索をすると（ステップ13）、検索された項目、内容説明が表示されるから（ステップ14）、特定の項目を選択すると（ステップ15でＹＥＳ）、選択項目の情報は一時保管される（ステップ16）。
【００２９】
検索を終了させるか否かを判断し（ステップ17）、必要があればステップ13〜16を繰返し（ステップ17でＮＯ）、全ての検索が終了したら（ステップ17でＹＥＳ）、ステップ16で一時保管された選択コンテンツを確認するとともに不要なものを削除し（ステップ18）、選択され確認された音声コンテンツのみをユーザ別データベース23の配信コンテンツリストへ保存する（ステップ19）。
【００３０】
このとき、データそのものは時々刻々変化しているので、ユーザ別データベース23には保存せず、表題等を配信コンテンツリストに保存する。
【００３１】
図４は、車両ユーザ、特に車両オペレータが車両13を通じて行なうファイルデータ型音声コンテンツの選択から再生までの概略フローチャートを示し、車両オペレータは、建設機械車両などに搭載された機体コントローラなどを用いて、コンテンツ管理局11のホームページをアクセスし（ステップ20）、アクセスした車両ユーザの配信コンテンツリストを表示させ（ステップ21）、このリストの中から再生するコンテンツを選択し（ステップ22）、選択項目の情報を一時保管し（ステップ23）、選択を終了するまでステップ22，23を繰返し（ステップ24でＮＯ）、再生しようとする全ての音声コンテンツの選択が終了した場合は（ステップ24でＹＥＳ）、一時保管された選択コンテンツを確認するとともに不要なものを削除し（ステップ25）、選択した音声コンテンツの再生順序を設定し（ステップ26）、選択した音声コンテンツのデータをユーザ別データベース23からダウンロードし（ステップ27）、音声コンテンツの再生を開始する（ステップ28）。
【００３２】
図５は、車両ユーザ、特に車両オペレータが車両13を通じて行なうストリーミングデータ型音声コンテンツの選択から再生までの概略フローチャートを示し、車両オペレータは、機体コントローラなどを用いて、コンテンツ管理局11のホームページをアクセスし（ステップ29）、アクセスした車両ユーザの配信コンテンツリストを表示させ（ステップ30）、このリストの中から再生する音声コンテンツを選択し（ステップ31）、必要なだけ選択を繰返し（ステップ32でＮＯ）、再生しようとする全ての音声コンテンツの選択が終了したら（ステップ32でＹＥＳ）、選択したストリーミングデータの供給元との接続を確保し（ステップ33）、コンテンツ管理局11にストリーミングデータの入手および配信を指示し（ステップ34）、コンテンツ管理局11よりストリーミングデータを連続受信し（ステップ35）、音声コンテンツの再生を開始する（ステップ36）。
【００３３】
このようにシステムを構築することにより、以下に示すような作用効果が得られる。
【００３４】
通信衛星12を介して音声コンテンツを配信するので、ラジオ放送の受信が困難な場所でも、音声コンテンツを聴取可能になる。特に、山間の人里離れた未開発地域で作業する建設機械車両においても、通信衛星12により音声コンテンツを聴取できる。
【００３５】
再生手段34は、デジタル信号を音声信号に変換する電子装置であり、音声コンテンツの再生にカセットプレーヤのような機械的接触が必要な手段を用いないので、塵挨に強い装置を構築でき、装置の寿命問題を解決できる。
【００３６】
楽曲等の固定的なファイルデータ型音声コンテンツは、車両13内のデータ記憶部33に電子的に保存されるので、カセットテープでは困難なランダム再生を可能にする。
【００３７】
車両13内のデータ記憶部33の容量には制限があるが、コンテンツ管理局11にあるユーザ別データベース23の容量は原理的に無制限に近いので、必要に応じて音声コンテンツデータをユーザ別データベース23からダウンロードして車両13内のデータを書き換えることにより、車両13内のデータ記憶部33に多くのデータを保存することなく多数の音声コンテンツを聴取できる。
【００３８】
車両ユーザは、各自の嗜好に即したファイルデータ型音声コンテンツを収集してユーザ別データベース23に保存するようコンテンツ管理局11に対して指示したり、自ら音声コンテンツをユーザ別データベース23に保存したり、リアルタイムで行われる野球中継やニュース等の各自の嗜好に即したストリーミングデータすなわちストリーミング型音声コンテンツの配信をコンテンツ管理局11に指示したりすることにより、各自の嗜好に即した音声コンテンツの聴取が可能になる。
【００３９】
また、コンテンツ管理局11は、配信先の車両ユーザを特定できているので、各車両ユーザにとって必要な独自の情報、例えば、建設機械車両のメンテナンスの案内、新型機械の情報、建設機械車両の使用上のアドバイスなどを、独自コンテンツ作成部門25で作成し配信することができる。
【００４０】
コンテンツ管理局11は、あらかじめ収集可能な音声コンテンツを調査しメニューに登録しておくことが望ましいが、車両ユーザの指示に従い逐次検索し収集することも可能である。
【００４１】
【発明の効果】
請求項１記載の発明によれば、コンテンツ管理局から通信衛星を介して車両にファイルデータ型音声コンテンツおよびストリーミング型音声コンテンツを配信するので、ラジオ放送の受信が困難な場所でも、これらの音声コンテンツを聴取できる。さらに、車両ユーザは、各自の嗜好に即したファイルデータ型音声コンテンツを収集しデータベースに保存するようコンテンツ管理局に対して指示したり、自らその音声コンテンツをデータベースに保存したり、リアルタイムで行われるニュースや野球中継などの各自の嗜好に即したストリーミング型音声コンテンツの配信をコンテンツ管理局に指示したりすることにより、各自の嗜好に即した音声コンテンツを聴取できる。
【００４２】
請求項２記載の発明によれば、車両内のデータ記憶部の容量には制限があるが、コンテンツ管理局にあるユーザ別データベースの容量は原理的に無制限に近いので、必要に応じてファイルデータ型音声コンテンツをダウンロードし車両内のデータを書き換えることにより、車両内に多くのデータを保存することなく多数の音声コンテンツを聴取できる。
【００４３】
請求項３記載の発明によれば、ファイルデータ型音声コンテンツおよびストリーミング型音声コンテンツの再生にカセットプレーヤのような機械的接触が必要な手段を用いないので、塵挨に強い装置を構築でき、装置の寿命問題を解決できる。
【００４４】
請求項４記載の発明によれば、楽曲等の固定的なファイルデータ型音声コンテンツは、車両内のデータ記憶部に電子的に保存されるので、カセットテープでは困難なランダム再生をできる。
【００４５】
請求項５記載の発明によれば、人里離れた未開発地域でラジオ放送の受信が困難な場所で作業する建設機械車両においても、通信衛星によりファイルデータ型音声コンテンツおよびストリーミング型音声コンテンツを聴取できる。
【図面の簡単な説明】
【図１】  本発明に係る音声コンテンツ配信システムの一実施の形態を示すシステム構成図である。
【図２】  同上配信システムにおける車両ユーザによるファイルデータ型音声コンテンツの収集からユーザ別データベースへの保存までの作業手順を示すフローチャートである。
【図３】  同上配信システムにおける車両ユーザによるストリーミングデータ型音声コンテンツの選択からユーザ別データベースへの配信コンテンツリスト保存までの作業手順を示すフローチャートである。
【図４】  同上配信システムにおける建設機械車両でのファイルデータ型音声コンテンツの選択から再生までの作業手順を示すフローチャートである。
【図５】  同上配信システムにおける建設機械車両でのストリーミングデータ型音声コンテンツの選択から再生までの作業手順を示すフローチャートである。
【符号の説明】
11    コンテンツ管理局
12    通信衛星
13    車両（建設機械車両）
18    システム端末機としてのパソコン
23    ユーザ別データベース
33    データ記憶部
34    再生手段
【図１】
0003993753.tif 000002
【図２】
0003993753.tif 000003
【図３】
0003993753.tif 000004
【図４】
0003993753.tif 000005
【図５】
0003993753.tif 000006